(57)【特許請求の範囲】
【請求項１】
第１の時間系列で、第１の光及び第１の補償光を含む第１の光ビームを生成し、第２の時間系列で、第２の光を含む又は第２の光及び第１の補償光を含む第２の光ビームを生成する光源システムと、
前記第１の光ビーム及び前記第２の光ビームを、第１の光通路に沿って伝送する光及び第２の光通路に沿って伝送する光に順次に分光する分光装置と、
前記第１の光通路に沿って伝送する光を変調する第１の光変調装置と、
前記第２の光通路に沿って伝送する光を変調する第２の光変調装置とを備え、
前記第１の光は、原色光であり、前記第２の光は、少なくとも２つの原色光を含む広スペクトル光であり、前記第１の光と前記第２の光との合成光は、三原色光を含み、
前記第１の補償光のスペクトル範囲は、前記第１の光のスペクトル範囲と前記第２の光のスペクトル範囲との間にあり、前記第１の補償光のスペクトル範囲と前記第２の光のスペクトル範囲は、部分的に重なっており、
前記光源システムは、前記第１の光を発する第１の光源と、前記第１の補償光を発する第２の光源とを備える
ことを特徴とする投影システム。
【請求項２】
前記分光装置は、第１のプリズム及び第２のプリズムを備え、前記第１のプリズム及び第２のプリズムとの境界面は、分光膜を有することを特徴とする請求項１に記載の投影システム。
【請求項３】
前記光源システムは、
前記第１の光を吸収し第２の光を生成するための１つの蛍光色区間、及び１つの透明色区間を少なくとも含む回転カラーホイールを備えることを特徴とする請求項２に記載の投影システム。
【請求項４】
前記光源システムは、前記第２の光源が第１の時間系列でオンになり、前記第２の光源が第２の時間系列でオフになることで、前記第２の光ビームが第２の光を含むように制御する第１の制御装置を更に備えることを特徴とする請求項３に記載の投影システム。
【請求項５】
第１の時間系列で、前記第１の光及び前記第１の補償光は、前記透明色区間を同時に透過して第１の光ビームを形成することを特徴とする請求項４に記載の投影システム。
【請求項６】
前記光源システムは、
前記第１の光の光通路に位置すると共に、前記第１の光を吸収し第２の光を生成する１つの蛍光色区間、及び１つの透明色区間を少なくとも含む第１の回転カラーホイールと、
前記第２の光の光通路に位置する散乱ホイールである第２の回転カラーホイールとを備えることを特徴とする請求項２に記載の投影システム。
【請求項７】
前記光源システムは、
前記第２の光源が時間系列の全体においてオンになることで、前記第２の光ビームが第２の光及び第１の補償光を含むように、又は、前記第２の光源が第１の時間系列でオンになり、第２の時間系列でオフになることで、前記第２の光ビームが第２の光を含むように制御する第２の制御装置を更に備えることを特徴とする請求項６に記載の投影システム。
【請求項８】
前記光源システムは、
前記第１の光を吸収し第２の光を生成するための第１の蛍光色区間、及び前記第１の光を吸収し第１の補償光を生成するための第２の蛍光色区間を少なくとも含む第１の回転カラーホイールを備えることを特徴とする請求項２に記載の投影システム。
【請求項９】
前記第１の補償光が狭スペクトル光である場合、前記第１の光ビームにおける第１の光は、第１の光通路に沿って伝送し、前記第１の光ビームにおける第１の補償光は、第２の光通路に沿って伝送し、
前記第１の補償光が広スペクトル光である場合、前記分光装置は、前記第１の光ビームにおける第１の補償光を、第１の部分の第１の補償光及び第２の部分の第１の補償光に分光し、前記第１の部分の第１の補償光及び前記第１の光ビームにおける第１の光は、同時に第１の光通路に沿って伝送し、前記第２の部分の第１の補償光は、第２の光通路に沿って伝送することを特徴とする請求項３〜８の何れか１つに記載の投影システム。
【請求項１０】
前記分光装置は、前記第２の光ビームにおける第２の光を、第３の光及び第４の光に分光し、前記第３の光は、第１の光通路に沿って伝送し、前記第４の光は、第２の光通路に沿って伝送し、前記第２の光ビームが第１の補償光を含む場合、前記第１の補償光及び前記第４の光は、同時に第２の光通路に沿って伝送することを特徴とする請求項９に記載の投影システム。
【請求項１１】
前記光源システムは、第２の補償光を発する第３の光源を更に備え、前記第２の補償光は、前記第３の光と同じ色で異なるスペクトルの光であり、前記第２の補償光と前記第３の光は、同時に第１の光通路に沿って伝送することを特徴とする請求項１０に記載の投影システム。
【請求項１２】
前記光源システムは、前記第２の補償光と前記第３の光が同時に生成されるように、前記第３の光源が第１の時間系列でオフになり、第２の時間系列でオンになることを制御する第３の制御装置を更に備えることを特徴とする請求項１１に記載の投影システム。
【請求項１３】
前記第１の光は、青色光であり、前記第３の光は、赤色光であり、前記第４の光は、緑色光であり、前記第１の補償光は、シアン光又は緑色光又は青緑光であり、前記第２の補償光は、赤色光であることを特徴とする請求項１２に記載の投影システム。
【請求項１４】
前記第１の補償光の波長範囲は、５１０ｎｍ〜５３０ｎｍであり、前記第２の補償光の波長範囲は、６２５ｎｍ〜６４５ｎｍであることを特徴とする請求項１３に記載の投影システム。
【発明の詳細な説明】
【技術分野】
【０００１】
本発明は、光学技術分野に関し、特に、投影システムに関するものである。 
【背景技術】
【０００２】
現在、ＤＭＤ（Digital  Micromirror  Device、デジタルマイクロミラーデバイス）に基づくＤＬＰ（Digital  Light Procession、デジタル光処理）の投影技術は、ますます幅広く応用されている。そのうち、最も広く応用されているＤＬＰ投影システムは、単板式のＤＭＤ投影システム及び３板式のＤＭＤ投影システムである。
【０００３】
図１に示すように、単板式のＤＭＤ投影システムは、光源１００と、集光レンズ１０１と、回転カラーホイール１０２と、角棒１０３と、光中継システム１０４と、ＤＭＤチップ１０５と、ＴＩＲプリズム１０６と、投影レンズ１０７とを備える。ここで、光源１００は、半導体レーザー又は発光ダイオードである。光源１００により発した励起光は、集光レンズ１０１を透過して回転カラーホイール１０２に集光される。図２に示すように、回転カラーホイール１０２は、赤色Ｒ、緑色Ｇ、青色Ｂの３つの蛍光体を有し、異なる蛍光体は回転カラーホイール１０２の異なる領域に位置するため、励起光は、回転カラーホイール１０２の異なる領域に入射した後、時間系列を有する赤色Ｒ、緑色Ｇ、青色Ｂの三原色光を生成することができる。三原色光は、角棒１０３と光中継システム１０４を順次に透過してＴＩＲプリズム１０６に入射し、ＴＩＲプリズム１０６によりＤＭＤチップ１０５まで反射されて変調され、その後、形成した画像が投影レンズ１０７から出力される。
【０００４】
上述の単板式のＤＭＤ投影システムにおいては、赤色Ｒ、緑色Ｇ、青色Ｂの三原色光は、順次にＤＭＤ１０５に入射して変調され、そして、人間の目の積分効果により、変調された単色画像をカラー画像に合成する。３板式のＤＭＤ投影システムにおいては、各ＤＭＤにより１つの原色光が変調され、例えば、第１のＤＭＤにより赤色光Ｒが変調され、第２のＤＭＤにより緑色光Ｇが変調され、第３のＤＭＤにより青色光Ｂが変調され、その後、これらの３つのＤＭＤにより変調された単色画像が空間的に重ねられてカラー画像に合成される。即ち、従来のＤＬＰ投影システムは、単板式のＤＭＤ投影システムである又は３板式のＤＭＤ投影システムであるにもかかわらず、何れも三原色の原理によりカラー画像に合成する。
【０００５】
上述のカラー画像の色域は、殆どＲＥＣ．７０９の基準を満たしており、図３に示すように、カラー画像ＬＰの色域は、ＲＥＣ．７０９の色域の大部分を覆っている。しかしながら、当該色域は、ＲＥＣ．７０９の色域を完全に覆っておらず、即ち、従来のＤＬＰ投影システムは、一部がまだＲＥＣ．７０９の基準を満たしておらず、ＤＣＩ基準に比べると、差がもっと大きい。
【発明の概要】
【０００６】
上述の事情に鑑み、本発明は、従来技術においてＤＬＰ投影システムにより合成されたカラー画像の色域が比較的小さく、ＲＥＣ．７０９基準及びＤＣＩ基準を満たすことができないという課題を解決するために、投影システムを提供している。
【０００７】
上述の目的を実現するために、本発明は、以下の技術案を提供している。
投影システムは、第１の時間系列で、第１の光及び第１の補償光を含む第１の光ビームを生成し、第２の時間系列で、第２の光を含む又は第２の光及び第１の補償光を含む第２の光ビームを生成する光源システムと、
前記第１の光ビーム及び第２の光ビームを、第１の光通路に沿って伝送する光及び第２の光通路に沿って伝送する光に順次に分光する分光装置と、
前記第１の光通路に沿って伝送する光を変調する第１の光変調装置と、
前記第２の光通路に沿って伝送する光を変調する第２の光変調装置とを備え、
前記第１の光は、原色光であり、前記第２の光は、少なくとも２つの原色光を含む広スペクトル光であり、前記第１の光と前記第２の光との合成光は、三原色光を含み、
前記第１の補償光のスペクトル範囲は、前記第１の光のスペクトル範囲と前記第２の光のスペクトル範囲との間にあり、前記第１の補償光のスペクトル範囲と前記第２の光のスペクトル範囲は、部分的に重なっており、
前記光源システムは、前記第１の光を発する第１の光源と、前記第１の補償光を発する第２の光源とを備える。
【００１０】
好ましくは、前記分光装置は、第１のプリズム及び第２のプリズムを備え、前記第１のプリズムと前記第２のプリズムとの境界面は、分光膜を有する。
【００１１】
好ましくは、前記光源システムは、
前記第１の光を吸収し第２の光を生成するための１つの蛍光色区間、及び１つの透明色区間を少なくとも含む回転カラーホイールを備える。
【００１２】
好ましくは、前記光源システムは、前記第２の光ビームが第２の光を含むように、前記第２の光源が第１の時間系列でオンになり、前記第２の光源が第２の時間系列でオフになることを制御する第１の制御装置を更に備える。
【００１３】
好ましくは、第１の時間系列で、前記第１の光及び前記第１の補償光は、前記透明色区間を同時に透過して第１の光ビームを形成する。
【００１４】
好ましくは、前記光源システムは、
前記第１の光の光通路に位置すると共に、前記第１の光を吸収し第２の光を生成するための１つの蛍光色区間、及び１つの透明色区間を少なくとも含む第１の回転カラーホイールと、
前記第２の光の光通路に位置する散乱ホイールである第２の回転カラーホイールとを備える。
【００１５】
好ましくは、前記光源システムは、
前記第２の光ビームが第２の光及び第１の補償光を含むように、前記第２の光源が時間系列の全体においてオンになる、又は、前記第２の光ビームが第２の光を含むように、前記第２の光源が第１の時間系列でオンになり、第２の時間系列でオフになることを制御する第２の制御装置を更に備える。
【００１６】
好ましくは、前記光源システムは、
前記第１の光を吸収し第２の光を生成するための第１の蛍光色区間、及び前記第１の光を吸収し第１の補償光を生成するための第２の蛍光色区間を少なくとも含む第１の回転カラーホイールを備える。
【００１７】
好ましくは、前記第１の補償光が狭スペクトル光である場合、前記第１の光ビームにおける第１の光は、第１の光通路に沿って伝送し、前記第１の光ビームにおける第１の補償光は、第２の光通路に沿って伝送し、
前記第１の補償光が広スペクトル光である場合、前記分光装置は、前記第１の光ビームにおける第１の補償光を、第１の部分の第１の補償光及び第２の部分の第１の補償光に分光し、前記第１の部分の第１の補償光及び前記第１の光ビームにおける第１の光は、同時に第１の光通路に沿って伝送し、前記第２の部分の第１の補償光は、第２の光通路に沿って伝送する。
【００１８】
好ましくは、前記分光装置は、前記第２の光ビームにおける第２の光を、第３の光及び第４の光に分光し、前記第３の光は、第１の光通路に沿って伝送し、前記第４の光は、第２の光通路に沿って伝送し、前記第２の光ビームが第１の補償光を含む場合、前記第１の補償光及び前記第４の光は、同時に第２の光通路に沿って伝送する。
【００１９】
好ましくは、前記光源システムは、第２の補償光を発する第３の光源を更に備え、前記第２の補償光は、前記第３の光と同じ色で異なるスペクトルの光であり、前記第２の補償光と前記第３の光は、同時に第１の光通路に沿って伝送する。
【００２０】
好ましくは、前記光源システムは、前記第２の補償光と前記第３の光が同時に生成されるように、前記第３の光源が第１の時間系列でオフになり、第２の時間系列でオンになることを制御する第３の制御装置を更に備える。
【００２１】
好ましくは、前記第１の光は、青色光であり、前記第３の光は、赤色光であり、前記第４の光は、緑色光であり、前記第１の補償光は、シアン光又は緑色光又は青緑光であり、前記第２の補償光は、赤色光である。
【００２２】
好ましくは、前記第１の補償光の波長範囲は、５１０ｎｍ〜５３０ｎｍであり、前記第２の補償光の波長範囲は、６２５ｎｍ〜６４５ｎｍである。
【発明の効果】
【００２３】
従来技術に比べ、本発明による技術案は、以下のメリットを有する。
本発明による投影システムでは、光源システムは、第１の時間系列で、第１の光及び第１の補償光を含む第１の光ビームを生成し、第２の時間系列で、第２の光又は第２の光及び第１の補償光を含む第２の光ビームを生成し、分光装置は、前記第１の光ビーム及び第２の光ビームを、第１の光通路に沿って伝送する光及び第２の光通路に沿って伝送する光に順次に分光する。これにより、第１の補償光を用いて第１の光又は第２の光を補償することができ、第１の光又は第２の光のスペクトル範囲を拡大し、合成したカラー画像の色域をより広くすることで、ＲＥＣ．７０９及びＤＣＩの色域基準を満たすことができる。
また、本発明による投影システムは、２つの光変調装置を用いて、第１の光通路に沿って伝送する光及び第２の光通路に沿って伝送する光をそれぞれ変調するため、１つの光変調装置を用いるシステムに比べ、光効果及び輝度はより高く、３つの光変調装置を用いるシステムに比べ、構造がより簡単であり、コストがより低い。
【図面の簡単な説明】
【００２４】
本発明の実施例又は従来技術の技術案をより明確に説明するために、以下、実施例又は従来技術を説明する際に用いられる図面を簡単に説明する。当然ながら、これらの図面は、本発明の実施例に過ぎず、当業者にとって、進歩性のある労働をせずにこれらの図面から他の図面も得られる。
【図１】従来の単板式のＤＭＤ投影システムの構成を示す模式図である。
【図２】従来の投影システムにおける回転カラーホイールの領域の構成を示す図である。
【図３】従来の投影システムにより形成されたカラー画像の色域図である。
【図４】本発明の実施例１に係る投影システムの構成を示す模式図である。
【図５】本発明の実施例１に係る回転カラーホイールの領域の構成を示す図である。
【図６】本発明の実施例１に係る分光装置の構成を示す模式図である。
【図７】本発明の実施例１における第１の光変調装置及び第２の光変調装置の変調の時系列図である。
【図８】本発明の実施例１に係る投影システムの色域を示す図である。
【図９】本発明の実施例１に係る回転カラーホイールのもう１つの領域の構成を示す図である。
【図１０】本発明の実施例１に係るもう１つの投影システムの構成を示す模式図である。
【図１１】本発明の実施例１における第１の光変調装置及び第２の光変調装置のもう１つの変調の時系列図である。
【図１２】本発明の実施例１に係るもう１つの投影システムの色域を示す図である。
【図１３】本発明の実施例２に係る投影システムの構成を示す模式図である。
【図１４】本発明の実施例２における第１の光変調装置及び第２の光変調装置の１つの変調の時系列図である。
【図１５】本発明の実施例２における第１の光変調装置及び第２の光変調装置のもう１つの変調の時系列図である。
【図１６】本発明の実施例３に係る投影システムの構成を示す模式図である。
【図１７】本発明の実施例３における第１の光変調装置及び第２の光変調装置の１つの変調の時系列図である。
【図１８】本発明の実施例３における第１の光変調装置及び第２の光変調装置のもう１つの変調の時系列図である。
【図１９】本発明の実施例３における第１の光変調装置及び第２の光変調装置の別の変調の時系列図である。
【発明を実施するための形態】
【００２５】
以下、本発明の実施例の図面を参照しながら、本発明の実施例の技術案を詳しく説明する。当然ながら、これらの実施例は、本発明の実施例の一部に過ぎず、全ての実施例ではない。当業者が本発明の実施例に基づき進歩性のある労働をせずに得られた全ての他の実施例は、何れも本発明の保護範囲に属する。
【００２６】
実施例１
本実施例に係る投影システムは、第１の時間系列で、第１の光ビームを生成し、第２の時間系列で、第２の光ビームを生成する光源システムと、第１の光ビーム及び第２の光ビームを、第１の光通路に沿って伝送する光及び第２の光通路に沿って伝送する光に順次に分光する分光装置と、第１の光通路に沿って伝送する光を変調する第１の光変調装置と、第２の光通路に沿って伝送する光を変調する第２の光変調装置とを備える。
本実施例における第１の光変調装置及び第２の光変調装置は、ＤＭＤ（Digital  Micromirror Device、デジタルマイクロミラーデバイス）、ＬＣＯＳ（Liquid Ｃrystal On Silicon、シリコン上の液晶デバイス）及びＬＣＤ（Liquid Ｃrystal  Display、液晶ディスプレイ）を備えるが、これらに限らない。説明の便利上、本実施例及び後続の実施例の光変調装置については、主にＤＭＤの変調方式で説明する。
【００２７】
本実施例においては、好ましくは、第１の光は、原色光であり、第２の光は、少なくとも２つの原色光を含む広スペクトル光であり、第１の光と第２の光の合成光は、三原色光を含む。さらに、第１の補償光のスペクトル範囲は、第１の光のスペクトル範囲と第２の光のスペクトル範囲との間にあり、第１の補償光のスペクトル範囲は、第２の光のスペクトル範囲と一部が重なる。例えば、第１の光は、青色光であり、第２の光は、赤色光及び緑色光を含む黄色光であり、第１の補償光は、シアン光であり、当該シアン光のスペクトル範囲は、青色光のスペクトル範囲と黄色光のスペクトル範囲との間にあり、当該シアン光のスペクトル範囲は、黄色光のスペクトル範囲と一部が重なり、これにより、当該シアン光は、青色光の色域を補償することができると共に、黄色光から分光された緑色光の色域を補償することができる。
【００２８】
本実施例においては、図４に示すように、光源システムは、第１の光λ１を発する第１の光源４０１と、第１の補償光λ２を発する第２の光源４０２と、光中継システム４０３と、回転カラーホイール４０４とを備える。ここで、第１の光源４０１は、青色光を発するレーザ光源であり、第１の光源４０１から発する青色光の波長が４４５ｎｍであることが好ましい。第２の光源４０２は、シアン光を発するレーザ光源であり、第２の光源４０２から発するシアン光が狭スペクトルの光であり、波長が５１０ｎｍであることが好ましい。当然ながら、他の実施例においては、第１の光源４０１及び第２の光源４０２は、発光ダイオードであっても良く、又は、第２の光源４０２は、４９０ｎｍ〜５３０ｎｍ波長域のグリーン光を発する光源であっても良く、緑色光を発する光源であっても良いが、本発明は、これに限らず、合成されたカラー画像の色域を拡大することができればよい。
【００２９】
図５に示すように、本実施例において、回転カラーホイール４０４は、蛍光色区間４０４１と、透明色区間４０４２とを備える。ここで、蛍光色区間４０４１は、黄色光の蛍光体を有し、透明色区間４０４２は、青色光及びシアン光を偏光解消させた後に出射するための散乱粒子を有する。また、回転カラーホイール４０４は、蛍光色区間４０４１及び透明色区間４０４２を、第１の光λ１の光通路まで順次に回転させる又は第１の補償光λ２の光通路まで順次に回転させるように、回転カラーホイール４０４の回転を駆動するモーター等の駆動装置を有し、ここで、透明色区間４０４２は、第１の光λ１及び第１の補償光λ２の光通路に同時に位置して、第１の光λ１及び第１の補償光λ２を含む第１の光ビームλ４を形成することができる。
【００３０】
本実施例においては、第１の時間系列で、透明色区間４０４２は、第１の光λ１及び第１の補償光λ２の光通路まで回転し、第１の光λ１及び第１の補償光λ２、即ち青色光及びシアン光は、透明色区間４０４２を同時に透過して第１の光ビームλ４を形成する。第２の時間系列で、蛍光色区間４０４１は、第１の光λ１の光通路まで回転し、蛍光色区間４０４１は、第１の光λ１を吸収すると共に第２の光である第２の光ビームλ３を生成し、即ち、青色光を吸収して黄色光Ｙを生成する。
【００３１】
その後、第１の光ビームλ４又は第２の光ビームλ３は、角棒４０５、光中継システム４０６及びＴＩＲプリズム４０７を透過して分光装置に入射する。本実施例では、分光装置は、第１のプリズム４１０と、第２のプリズム４１１と、第１のプリズム４１０と第２のプリズム４１１の境界面に位置する分光膜４１２とを備え、当該分光膜４１２は、半透明半反射フィルムであり、緑色光バンドパス特性を有することが好ましい。
【００３２】
具体的には、図６に示すように、分光装置は、第１の時間系列で、第１の光ビームλ４を、第１の光通路に沿って伝送する第１の光λ１及び第２の光通路に沿って伝送する第１の補償光λ２に分光し、即ち、青色光Ｂ及びシアン光Ｃに分光し、青色光Ｂは、第１の光通路に沿って第１の光変調装置４２まで伝送し、シアン光Ｃは、第２の光通路に沿って第２の光変調装置４３まで伝送する。分光装置は、第２の時間系列で、第２の光ビームλ３を、第１の光通路に沿って伝送する第３の光λ３０及び第２の光通路に沿って伝送する第４の光λ３１に分光し、即ち、黄色光Ｙを赤色光Ｒ及び緑色光Ｇに分光し、また、赤色光Ｒは、第１の光通路に沿って第１の光変調装置４２まで伝送し、緑色光Ｇは、第２の光通路に沿って第２の光変調装置４３まで伝送する。
【００３３】
第１の光変調装置４２は、前記第１の光λ１及び第３の光λ３０、即ち青色光Ｂ及び赤色光Ｒを順次に変調し、第２の光変調装置４３は、第１の補償光λ２及び第４の光λ３１、即ちシアン光Ｃ及び緑色光Ｇを順次に変調し、変調された赤色光Ｒ、緑色光Ｇ、青色光Ｂ及びシアン光Ｃは、投影レンズ４４により投影される。ここで、第１の光変調装置４２及び第２の光変調装置４３の変調時間系列の図は図７に示されている。
【００３４】
本実施例においては、第１の光源４０１は、ずっとオン状態になる。第２の光源４０２は、透明色区間４０４２が第１の補償光λ２の光通路まで回転した時だけにオン状態になる。即ち、本実施例における光源システムは、第２の光源４０２が第１の時間系列でオンになり、第２の時間系列でオフになるように制御し、即ち、蛍光色区間４０４１が第１の補償光λ２の光通路まで回転した時に第２の光源４０２がオフになり、透明色区間４０４２が第１の補償光λ２の光通路まで回転した時に第２の光源４０２がオンになるように制御する第１の制御装置を更に備える。
【００３５】
本実施例においては、赤緑青の三原色光及び補償光を用いてカラー画像に合成するため、従来技術における三原色の原理でカラー画像に合成する方法に比べ、本実施例に係る投影システムにより形成されたカラー画像ＬＰは、色域がより広く、図８に示すように、ＲＥＣ．７０９基準及びＤＣＩ基準を満たすことができる。
【００３６】
本発明の他の実施例においては、回転カラーホイール４０４の蛍光色区間４０４１は、赤色光蛍光体及び緑色光蛍光体を有する領域であっても良く、図９に示すように、蛍光色区間４０４１は、赤色光蛍光体色区間４０４１０及び緑色光蛍光体色区間４０４１１を含む。この場合、第２の光は、第３の光と第４の光の混合光であり、即ち、赤色光Ｒと緑色光Ｇの混合光であり、赤色光Ｒ及び緑色光Ｇは、時間系列を有しても良く、同時に生成されても良い。
【００３７】
赤色光Ｒ及び緑色光Ｇが時間系列を有する場合、赤色光蛍光体色区間４０４１０及び緑色光蛍光体色区間４０４１１は、同じ第１の光源から発する第１の光を順次に吸収する。赤色光蛍光体色区間４０４１０は、第１の時間系列の第１の時間帯で第１の光源の光通路に位置し、第１の光を吸収し赤色光Ｒを生成する。緑色光蛍光体色区間４０４１１は、第１の時間系列の第２の時間帯で第１の光源の光通路に位置し、第１の光を吸収し緑色光Ｇを生成する。又は、緑色光蛍光体色区間４０４１１は、第１の時間系列の第１の時間帯で緑色光Ｇを生成し、赤色光蛍光体色区間４０４１０は、第１の時間系列の第２の時間帯で赤色光Ｒを生成する。後続の分光装置は、時間系列に従って、赤色光Ｒを第１の光変調装置に伝送し、緑色光Ｇを第２の光変調装置に伝送し、第１の光変調装置及び第２の光変調装置は、時間系列に従って、赤色光Ｒ及び緑色光Ｇを変調する。
【００３８】
赤色光Ｒ及び緑色光Ｇが同時に生成された場合、赤色光蛍光体色区間４０４１０及び緑色光蛍光体色区間４０４１１は、異なる第１の光源から発する第１の光を同時に吸収する。赤色光蛍光体色区間４０４１０が対応する第１の光源の光通路に位置し、緑色光蛍光体色区間４０４１１も対応する第１の光源の光通路に位置する場合、赤色光蛍光体色区間４０４１０及び緑色光蛍光体色区間４０４１１は、第１の光を同時に吸収し、第１の時間系列の赤色光Ｒ及び緑色光Ｇを同時に生成することができる。後続の分光装置は、それぞれ赤色光Ｒ及び緑色光Ｇを第１の光変調装置及び第２の光変調装置に同時に伝送し、第１の光変調装置及び第２の光変調装置は、同じ時間帯で赤色光Ｒ及び緑色光Ｇを変調する。このような投影システムは、光効率が比較的に高い。
【００３９】
また、本発明の他の実施例においては、上述の光源システムは、更に第３の光源４００を備え。図１０に示すように、第３の光源４００は、第２の補償光λ５を発するためのもので、発された第２の補償光λ５は、蛍光色区間４０４１に入射し、好ましくは、第３の光源４００は、赤色光を発するレーザーであり、前記赤色レーザ光である第２の補償光の波長範囲は、６２５ｎｍ〜６４５ｎｍである。蛍光色区間４０４１は、黄色光蛍光体を有する又は赤色光蛍光体及び緑色光蛍光体を有する領域であるため、蛍光色区間４０４１は、第２の補償光λ５を透過させ出射することができ、蛍光色区間４０４１の蛍光体は、偏光状態の赤色光を非偏光状態の赤色光Ｒ１に変換することができる。
【００４０】
第２の補償光λ５と第３の光λ４０は、同じ色で異なるスペクトルの光であり、即ち、赤色光Ｒ１と赤色光Ｒは、同じ色で異なるスペクトルの光であり、赤色光Ｒ１により赤色光Ｒを補償する。これに基づき、第２の補償光λ５と第３の光λ４０は、同時に第１の光通路に沿って伝送し、第１の光変調装置４２は、第２の補償光λ５及び第３の光λ４０を同時に変調する。
【００４１】
本実施例においては、第３の光源４００は、ずっとオン状態になっても良く、省エネルギーのために、蛍光色区間４０４１が第１の光の光通路まで回転した時だけにオン状態になっても良い。上述の光源システムは、第３の光源４００が第１の時間系列でオフになり、第２の時間系列でオンになるように制御し、即ち、蛍光色区間４０４１が第１の光λ１の光通路まで回転した時に第３の光源４００がオンになり、透明色区間４０４２が第１の光λ１の光通路まで回転した時に第３の光源４００がオフになるように制御する第３の制御装置を更に備える。好ましくは、第３の制御装置は、さらに、第２の補償光λ５及び第３の光λ４０が同時に生成されるように制御することに用いられる。
【００４２】
図１０に示すように、第１の時間系列で、分光装置は、第１の光ビームλ４を、第１の光λ１及び第１の補償光λ２に分光し、青色光Ｂである第１の光λ１を第１の光変調装置４２まで伝送し、シアン光Ｃである第１の補償光λ２を第２の光変調装置４３まで伝送する。第２の時間系列で、第２の補償光λ５及び第２の光ビームλ３は、同時に分光装置まで到達し、分光膜４１２は、第２の光ビームλ３を赤色光Ｒ及び緑色光Ｇに分光し、赤色光Ｒ１である第２の補償光λ５は、赤色光Ｒと重なった後に第１の光変調装置４２に入射し、緑色光Ｇは、第２の光変調装置４３に入射し、図１１は、第１の光変調装置４２及び第２の光変調装置４３の変調時系列図を示している。
【００４３】
カラー画像を形成する赤色光は、回転カラーホイールにより生成された赤色光Ｒを含むだけでなく、第３の光源４００により生成された赤色レーザーＲ１を更に含むため、本実施例に係る投影システムは、赤色光の原色の色座標を拡大させ、赤色光の比例を高めることができる。その拡大した四辺形の色域は図１２に示されている。実施例１及び実施例２に比べ、本実施例に係る投影システムにより形成されたカラー画像ＬＰは色域がより広く、ＲＥＣ．７０９及びＤＣＩの色域基準をさらに満たすことができる。
【００４４】
本実施例に係る投影システムにおいては、光源システムにより、第１の時間系列で第１の光及び第１の補償光を含む第１の光ビームを生成し、第２の時間系列で第２の光を含む第２の光ビームを生成し、分光装置により、第１の光ビーム及び第２の光ビームを、第１の光通路に沿って伝送する光及び第２の光通路に沿って伝送する光に分光する。これにより、シアン光である第１の補償光を用いて青色光である第１の光を補償して、青色光のスペクトル範囲を拡大させ、合成したカラー画像の色域をより広くして、ＲＥＣ．７０９及びＤＣＩの色域基準をさらに満たすことができる。
【００４５】
また、本実施例に係る投影システムは、２つの光変調装置を用いて、第１の光通路に沿って伝送する光及び第２の光通路に沿って伝送する光をそれぞれ変調し、１つの光変調装置を用いるシステムに比べ、光効果及び輝度がさらに高まり、３つの光変調装置を用いるシステムに比べ、構造がより簡単であり、コストがより低い。
【００４６】
実施例２
本実施例は、投影システムを提供している。本実施例に係る投影システムと実施例１に係る投影システムは、構造がほぼ同じであり、何れも光源システム、分光装置、第１の光変調装置及び第２の光変調装置を備える。また、本実施例に係る光源システムも第１の光λ１を発する第１の光源４０１と、第１の補償光λ２を発する第２の光源４０２とを備える。第１の光源４０１は、青色光を発するレーザー光源であり、第２の光源４０２は、シアン光を発するレーザー光源である。同様に、本実施例における第１の補償光は、狭スペクトルのシアン光である。
【００４７】
本実施例に係る投影システムと実施例１に係る投影システムとの違いは、次の通りである。本実施例における光源システムは、第１の光λ１の光通路に位置する第１の回転カラーホイール１３００と、第１の補償光λ２の光通路に位置する第２の回転カラーホイール１３０１とを備える。図１３に示すように、第１の回転カラーホイール１３００は、少なくとも、１つの蛍光色区間及び１つの透明色区間を備え、蛍光色区間及び透明色区間は第１の光λ１の光通路まで順次に回転する。ここで、蛍光色区間及び透明色区間の分布状況は、図５における蛍光色区間４０４１及び透明色区間４０４２の分布状況と同じであり、ここで繰り返して説明しない。
【００４８】
第１の回転カラーホイール１３００における蛍光色区間は、第１の光λ１を吸収し第２の光を生成し、即ち、青色レーザーを吸収し黄色光Ｙを生成し、透明色区間は、青色光である第１の光λ１を透過させ出射し、当該透明色区間は、散乱粒子を有し、偏光状態の青色光を非偏光状態の青色光Ｂに変換することに用いられる。本実施例においては、蛍光色区間は、図４の蛍光色区間４０４１のように、黄色光蛍光体を有する領域であっても良く、図９の赤色光蛍光体色区間４０４１０及び緑色光蛍光体色区間４０４１１のように、赤色光蛍光体及び緑色光蛍光体を有する領域であっても良い。その原理は上述した実施例と同じであり、ここで繰り返して説明しない。
【００４９】
第２の回転カラーホイール１３０１は、第１の補償光λ２の光通路に位置し、シアン光Ｃである第１の補償光λ２を透過させ出射することに用いられる。また、本実施例における第２の回転カラーホイール１３０１は、散乱ホイールであり、当該散乱ホイールにおける散乱粒子が、偏光状態のシアン光を非偏光状態のシアン光Ｃに変換することができる。ここで、第１の光ビームλ４は、青色光Ｂとシアン光Ｃの混合光である。
【００５０】
本実施例においては、第２の制御装置は、第２の光源４０２が時間系列の全体においてオン状態になるように制御し、即ち、蛍光色区間が第１の光λ１の光通路まで回転した時及び透明色区間が第１の補償光λ２の光通路まで回転した時に第２の光源４０２がオン状態になるように制御し、これにより、第２の光ビームλ３は、第２の光及び第１の補償光を含み、即ち、黄色光Ｙ及びシアン光Ｃを含む。この場合、第２の光変調装置４３は、黄色光Ｙから分光された緑色光Ｇ及びシアン光Ｃを同時に変調する。図１４は、第１の光変調装置４２及び第２の光変調装置４３の変調時間系列を示している。
【００５１】
他の実施例においては、省エネルギーのために、第２の光源４０２は、透明色区間が第１の光λ１の光通路まで回転した時だけにオン状態になってもよい。このとき、第２の制御装置は、第２の光源４０２が第１の時間系列でオンになり、第２の光源４０２が第２の時間系列でオフになるように制御し、即ち、蛍光色区間が第１の光の光通路まで回転した時に第２の光源４０２がオフになり、透明色区間が第１の光の光通路まで回転した時に第２の光源４０２がオンになるように制御する。これにより、第２の光ビームは、第２の光を含むが、第１の補償光を含まない。また、第２の制御装置は、さらに、シアン光Ｃ及び青色光Ｂが同時に生成されるように制御することに用いられる。これにより、第１の光変調装置４２により変調された青色光Ｂ及び第２の光変調装置４３により変調されたシアン光Ｃは、同じ時間系列にあり、その時の第１の光変調装置４２及び第２の光変調装置４３の変調時間系列図は図７に示されている。
【００５２】
なお、本発明の他の実施例においては、上述の光源システムは、第２の補償光を発する第３の光源を更に備え、第３の光源は、赤色光を発するレーザーであることが好ましく、ここで、第３の光源から発した第２の補償光は、第１の回転カラーホイール１３００の蛍光色区間に入射しても良く、第２の回転カラーホイール１３０１に入射しても良く、当該蛍光色区間又は第２の回転カラーホイール１３０１は、赤色光Ｒ１である当該第２の補償光を透過させ出射し、偏光状態の赤色光を非偏光状態の赤色光Ｒ１に変換する。また、第１の光変調装置４２は、さらに、赤色光Ｒ及び赤色光Ｒ１を同時に変調することにより、赤色光Ｒ１により赤色光Ｒの色座標を拡大させ、赤色光の比例を高め、合成したカラー画像の色域を拡大する。
【００５３】
第３の光源は、ずっとオン状態になっても良く、省エネルギーのために、蛍光色区間が第１の光λ１の光通路に回転した時だけにオン状態になってもよい。これにより、第３の光源は、第３の制御装置に接続されており、第３の制御装置により、蛍光色区間が第１の光の光通路まで回転した時に第３の光源がオン状態になり、透明色区間が第１の光の光通路まで回転した時に第３の光源がオフ状態になるように制御し、即ち、第３の光源が第１の時間系列でオフになり、第２の時間系列でオンになるように制御する。
【００５４】
第２の光源４０２が時間系列の全体においてオン状態になり、第３の光源が第２の時間系列のみでオン状態になる場合の、第１の光変調装置４２及び第２の光変調装置４３の変調時間系列は、図１５に示されている。第１の時間系列で、第１の光変調装置４２は、青色光Ｂを変調し、第２の光変調装置４３は、シアン光Ｃを変調し、第２の時間系列で、第１の光変調装置４２は、赤色光Ｒ及び赤色光Ｒ１を同時に変調し、第２の光変調装置４３は、緑色光Ｇ及びシアン光Ｃを同時に変調する。
【００５５】
本実施例に係る投影システムにおいては、光源システムにより、第１の時間系列で第１の光及び第１の補償光を含む第１の光ビームを生成し、第２の時間系列で第２の光を含む又は第２の光及び第１の補償光を含む第２の光ビームを生成し、分光装置により、第１の光ビーム及び第２の光ビームを、第１の光通路に沿って伝送する光及び第２の光通路に沿って伝送する光に分光する。これにより、シアン光である第１の補償光を用いて青色光である第１の光又は第２の光から分光された緑色光を補償し、第１の光又は第２の光のスペクトル範囲を拡大し、合成したカラー画像の色域をより広くすることで、ＲＥＣ．７０９及びＤＣＩの色域基準を満たすことができる。
【００５６】
また、本実施例に係る投影システムは、２つの光変調装置を用いて、第１の光通路に沿って伝送する光及び第２の光通路に沿って伝送する光をそれぞれ変調するため、１つの光変調装置を用いるシステムに比べ、光効果及び輝度がより高く、３つの光変調装置を用いるシステムに比べ、構造がより簡単であり、コストがより低い。
【００５７】
実施例３
本実施例は投影システムを提供している。本実施例に係る投影システムと実施例１に係る投影システムは、構造がほぼ同じであり、何れも光源システム、分光装置、第１の光変調装置及び第２の光変調装置を備える。本実施例に係る投影システムと実施例１に係る投影システムとの違いは、次の通りである。図１６に示すように、本実施例における光源システムは第１の光源４０１及び第１の回転カラーホイール１６００を備える。
【００５８】
第１の光源４０１は、第１の光λ１を発することに用いられる。第１の光源４０１は、青色光を発するレーザーであることが好ましい。第１の回転カラーホイール１６００は、第１の蛍光色区間及び第２の蛍光色区間を含み、第１の蛍光色区間及び第２の蛍光色区間は、第１の光λ１の光通路まで順次に回転し、第１の蛍光色区間は第１の光を吸収し第２の光を生成することに用いられ、第２の蛍光色区間は第１の光を吸収し第１の補償光を生成することに用いられる。
【００５９】
実施例３は実施例１と実施例２の違いとは、さらに次の通りである。上述の実施例においては、シアン光である第１の補償光は、シアンレーザーにより生成されるもので、スペクトルが比較的に狭いが、本実施例においては、第１の補償光は、蛍光体により生成されるもので、スペクトルが比較的に広い。ここで、レーザー光の狭スペクトルに比べ、スペクトル範囲が１０ｎｍ以上である光は、広スペクトル光に定義される。
【００６０】
第１の蛍光色区間は、図４に示す蛍光色区間４０４１のように、黄色光の蛍光体を有する領域であっても良く、又は、第１の蛍光色区間は、図９の赤色光の蛍光体色区間４０４１０及び緑色光の蛍光体色区間４０４１１のように、赤色光の蛍光体及び緑色光の蛍光体を有する領域であっても良い。その動作原理も上述の実施例と同じであり、ここで繰り返して説明しない。本実施例においては、第２の蛍光色区間は、シアン光の蛍光体を有する領域又は緑色光の蛍光体を有する領域であり、ここで、緑色光の蛍光体は、藍色に偏り、それが生成した緑色光の主波長は、５１０ｎｍ〜５３０ｎｍの間にある。
【００６１】
第２の蛍光色区間がシアン光の蛍光体を有する領域である場合、第１の蛍光色区間は、第１の光λ１を吸収し第２の光を生成し、即ち、青色レーザーを吸収し黄色光Ｙを生成し、第２の蛍光色区間は、第１の光λ１を吸収し第１の補償光λ７を生成し、即ち、青色光を吸収し青色光Ｃを生成する。また、第２の蛍光色区間は、シアン光Ｃを生成すると同時に、青色光である第１の光λ１を透過させ出射し、偏光状態の青色光を非偏光状態の青色光Ｂに変換してもよい。分光装置は、第１の時間系列で、第１の補償光を、第１の光通路に沿って伝送する第１の部分の第１の補償光及び第２の光通路に沿って伝送する第２の部分の第１の補償光に分光し、即ち、シアン光Ｃを第１の部分のシアン光Ｃ１及び第２の部分のシアン光Ｃ２に分光し、又は、緑色光Ｇを第１の部分の緑色光Ｇ１及び第２の部分の緑色光Ｇ２に分光し、第２の時間系列で、第２の光を第１の光通路に沿って伝送する第３の光及び第２の光通路に沿って伝送する第４の光に分光し、即ち、黄色光Ｙを赤色光Ｒ及び緑色光Ｇに分光する。
【００６２】
第１の光変調装置４２及び第２の光変調装置４３の変調時系列図は図１７に示されている。第１の光変調装置４２は、第１の時間系列で青色光Ｂ及び第１の部分のシアン光Ｃ１を変調し、第２の光変調装置４３は、第１の時間系列で第２の部分のシアン光Ｃ２を変調し、第１の光変調装置４２は、第２の時間系列で赤色光Ｒを変調し、第２の光変調装置４３は、第２の時間系列で緑色光Ｇを変調する。これにより、変調した青色光Ｂ、第１の部分のシアン光Ｃ１、第２の部分のシアン光Ｃ２、赤色光Ｒ及び緑色光Ｇがカラー画像に合成される。
【００６３】
第２の蛍光色ホイールが緑色光蛍光体を有する領域である場合、第１の光変調装置４２及び第２の光変調装置４３の変調時系列図は図１８に示されている通り、同じ理由で、第１の光変調装置４２は、第１の時間系列で青色光Ｂ及び第１の部分の緑色光Ｇ１を変調し、第２の光変調装置４３は、第１の時間系列で第２の部分の緑色光Ｇ２を変調し、第１の光変調装置４２は、第２の時間系列で赤色光Ｒを変調し、第２の光変調装置４３は、第２の時間系列で緑色光Ｇを変調する。
【００６４】
第２の蛍光色ホイールがシアン光蛍光体を用いる場合、生成した光は、シアン光領域で占める比例が比較的に大きいため、シアン光を第１の部分のシアン光Ｃ１と第２の部分のシアン光Ｃ２との２つの部分に直接に分光し、第１の部分のシアン光Ｃ１を青色光と混合させて青色光を補正し、青色光をＤＣＩ色域にもっと接近させることができ、この場合、分光装置の分光膜は、ローパスコートフィルムであっても良く、バンドパスコートフィルムであっても良い。
【００６５】
第２の蛍光色ホイールが緑色光蛍光体を用いる場合、生成した光のスペクトルは、緑色光領域に到達し、緑色光領域で占める比例も比較的に大きいため、シアン光に偏る色の光の部分、即ち波長が５１０ｎｍ未満である部分を切り取る必要があり、つまり、広スペクトル緑色光を第１の部分の緑色光Ｇ１と第２の部分の緑色光Ｇ２との２つの部分に分光する必要があり、スペクトルの左部分である第１の部分の緑色光Ｇ１を切り取って青色光と混合させて、青色光を補正し、合成したカラー画像の色域を拡大すると共に、緑色光をある程度に補正し、その緑色光をＤＣＩ色域にもっと接近させ、この場合、分光装置の分光膜は、緑色光のバンドパスコートフィルムしかならない。
【００６６】
また、本実施例の光源システムは、第２の補償光を発する第３の光源を更に備える。本実施例においては、第１の回転カラーホイール１６００の第１の蛍光色区間により、第２の補償光を透過させ出射するが、当然ながら、本発明は、これに限らない。他の実施例においては、光源システムは、第２の回転カラーホイールを更に備え、第２の回転カラーホイールにより、第２の補償光を透過させ出射すると共に、偏光状態の赤色光を非偏光状態の赤色光Ｒ１に変換する。それと同時に、第２の光変調装置４３は、第３の光及び第２の補償光を同時に変調し、即ち、赤色光Ｒ及び赤色光Ｒ１を同時に変調する。
【００６７】
同様に、第３の光源４００は、ずっとオン状態になっても良く、省エネルギーのために、第１の蛍光色区間が第１の光の光通路まで回転した時だけにオン状態になってもよい。第３の光源が第１の蛍光色区間にオン状態になる場合、本実施例における光源システムは、第３の光源に接続する第３の制御装置を更に備え、第３の制御装置は、第３の光源が第１の時間系列でオフになり、第２の時間系列でオンになるように制御し、即ち、第１の蛍光色区間が第１の光の光通路まで回転した時に第３の光源がオンになり、第２の蛍光色区間が第１の光の光通路まで回転した時に第３の光源がオフになるように制御する。第１の光変調装置４２及び第２の光変調装置４３の変調時系列図は図１９に示されている。第１の光変調装置４２は、第１の時間系列で青色光Ｂ及び第１の部分の緑色光Ｇ１を同時に変調し、第２の光変調装置４３は、第１の時間系列で第２の部分の緑色光Ｇ２を変調し、第１の光変調装置４２は、第２の時間系列で赤色光Ｒ及び赤色光Ｒ１を同時に変調し、第２の光変調装置４３は、第２の時間系列で緑色光Ｇを変調する。
【００６８】
本実施例に係る投影システムは、光源システムにより、第１の時間系列で第１の光及び第１の補償光を含む第１の光ビームを生成し、第２の時間系列で第２の光を含む第２の光ビームを生成し、分光装置により、第１の光ビーム及び第２の光ビームを、第１の光通路に沿って伝送する光及び第２の光通路に沿って伝送する光に順次に分光する。これにより、シアン光又は緑色光又は青緑光を用いて青色光を補償し、青色光の色域を拡大するため、合成したカラー画像の色域をより広くして、ＲＥＣ．７０９及びＤＣＩの色域基準を満たすことができる。
【００６９】
また、本実施例に係る投影システムは、２つの光変調装置を用いて、第１の光通路に沿って伝送する光及び第２の光通路に沿って伝送する光をそれぞれ変調するため、１つの光変調装置を用いるシステムに比べ、光効果及び輝度がより高く、３つの光変調装置を用いるシステムに比べ、構造がより簡単であり、コストがより低い。
【００７０】
実施例４
本実施例は、投影システムを提供している。本実施例に係る投影システムと実施例１に係る投影システムは、構造がほぼ同じであり、何れも光源システム、分光装置、第１の光変調装置及び第２の光変調装置を備える。本実施例に係る投影システムと実施例１に係る投影システムとの違いは、次の通りである。本実施例における第２の光源４０２は、シアン光又は緑色光を発する発光ダイオードであり、第２の光源４０２から発するシアン光又は緑色光である第１の補償光は、広スペクトル光である。
【００７１】
図４に示すように、第２の光源４０２がシアン光を発する発光ダイオードである場合、回転カラーホイール４０４の透明色区間４０４２は、青色光及びシアン光を同時に透過させ出射する。分光装置は、第１の時間系列で第１の補償光を第１の部分の第１の補償光及び第２の部分の第１の補償光に分光し、即ち、シアン光Ｃを第１の部分のシアン光Ｃ１及び第２の部分のシアン光Ｃ２に分光し、第２の時間系列で第２の光を、第１の光通路に沿って伝送する第３の光及び第２の光通路に沿って伝送する第４の光に分光し、即ち、黄色光Ｙを赤色光Ｒ及び緑色光Ｇに分光する。第１の光変調装置４２及び第２の光変調装置４３の変調時間系列図は図１７に示されている通り、第１の光変調装置４２は、第１の時間系列で青色光Ｂ及び第１の部分のシアン光Ｃ１を変調し、第２の光変調装置４３は、第１の時間系列で第２の部分のシアン光Ｃ２を変調し、第１の光変調装置４２は、第２の時間系列で赤色光Ｒを変調し、第２の光変調装置４３は、第２の時間系列で緑色光Ｇを変調する。
【００７２】
このとき、第２の光源４０２により生成された光がシアン光領域に占める比例は、比較的に大きいため、シアン光を、第１の部分のシアン光Ｃ１と第２の部分のシアン光Ｃ２との２つの部分に直接に分光し、第１の部分のシアン光Ｃ１を青色光を混合させて青色光を補正し、青色光をＤＣＩ色域にもっと接近させることができ、この場合、分光装置の分光膜は、ローパスコートフィルムであっても良く、バンドパスコートフィルムであっても良い。
【００７３】
第２の光源４０２が緑色光を発する発光ダイオードである場合、回転カラーホイール４０４の透明色区間４０４２は、青色光及び緑色光を同時に透過させ出射し、分光装置は、第１の時間系列で緑色光を第１の部分の緑色光Ｇ１及び第２の部分の緑色光Ｇ２に分光し、第２の時間系列で黄色光Ｙを、赤色光Ｒ及び緑色光Ｇに分光する。第１の光変調装置４２及び第２の光変調装置４３の変調時間系列図は図１８に示されている通り、第１の光変調装置４２は、第１の時間系列で青色光Ｂ及び第１の部分の緑色光Ｇ１を変調し、第２の光変調装置４３は、第１の時間系列で第２の部分の緑色光Ｇ２を変調し、第１の光変調装置４２は、第２の時間系列で赤色光Ｒを変調し、第２の光変調装置４３は、第２の時間系列で緑色光Ｇを変調する。
【００７４】
第２の光源４０２により生成された光が緑色光領域に占める比例は、比較的に大きいため、シアン光に偏る色の光の部分、即ち波長が５１０ｎｍ未満である部分を切り取る必要があり、つまり、広スペクトル緑色光を第１の部分の緑色光Ｇ１と第２の部分の緑色光Ｇ２との２つの部分に分光する必要があり、スペクトルの左部分である第１の部分の緑色光Ｇ１を切り取って青色光と混合させて、青色光を補正し、合成したカラー画像の色域を拡大すると共に、第２の部分の緑色光Ｇ２を用いて緑色光をある程度に補正し、その緑色光Ｇ２をＤＣＩ色域にもっと接近させ、この場合、分光装置の分光膜は、緑色光のバンドパスコートフィルムしかならない。
【００７５】
本実施例に係る投影システムは、光源システムにより、第１の時間系列で第１の光及び第１の補償光を含む第１の光ビームを生成し、第２の時間系列で第２の光を含む第２の光ビームを生成し、分光装置により、第１の光ビーム及び第２の光ビームを、第１の光通路に沿って伝送する光及び第２の光通路に沿って伝送する光に分光する。これにより、シアン光又は緑色光を用いて青色光を補償し、青色光の色域を拡大し、合成したカラー画像の色域をより広くして、ＲＥＣ．７０９及びＤＣＩの色域基準を満たすことができる。
【００７６】
また、本実施例に係る投影システムは、２つの光変調装置を用いて第１の光通路に沿って伝送する光及び第２の光通路に沿って伝送する光をそれぞれ変調するため、１つの光変調装置を用いるシステムに比べ、光効果及び輝度がより高く、３つの光変調装置を用いるシステムに比べ、構造がより簡単であり、コストがより低い。
【００７７】
本明細書においては、各実施例を累進的に説明し、各実施例の違いを主に説明し、各実施例の同じ又は似た部分を互いに参照すれば良い。
【００７８】
当業者は、本発明を実現又は使用することができるように、上述した実施例を説明した。これらの実施例に対する様々な変更は、当業者にとって明らかである。本発明に定義の一般的な原理は、本発明の特許請求の範囲から逸脱しなければ、他の実施例で実現することができる。よって、本発明は、本明細書に記載の実施例に限らず、本明細書に公開された原理及び新規的な特徴と一致する最も広い範囲を含む。
【図１】
0006393405.tif 000002
【図２】
0006393405.tif 000003
【図３】
0006393405.tif 000004
【図４】
0006393405.tif 000005
【図５】
0006393405.tif 000006
【図６】
0006393405.tif 000007
【図７】
0006393405.tif 000008
【図８】
0006393405.tif 000009
【図９】
0006393405.tif 000010
【図１０】
0006393405.tif 000011
【図１１】
0006393405.tif 000012
【図１２】
0006393405.tif 000013
【図１３】
0006393405.tif 000014
【図１４】
0006393405.tif 000015
【図１５】
0006393405.tif 000016
【図１６】
0006393405.tif 000017
【図１７】
0006393405.tif 000018
【図１８】
0006393405.tif 000019
【図１９】
0006393405.tif 000020